(57)【要約】【課題】車両の愛好家の趣味性を満足させつつ、安全且つスペース効率に優れた車庫付建築物を提供すること。【解決手段】車庫付建築物１は、１階を車庫２とし、前記車庫２の直上階に当たる２階を居住区３とした車庫付建築物であって、前記車庫２の天井面２２と前記居住区３の床面３１との間を貫通する貫通孔４２と、前記車庫２の内部が前記居住区３から反射像として視認可能とするために前記貫通孔４２の側方に沿って設けたミラー４１と、前記貫通孔４２を視認可能に封鎖する耐火性部材である耐火ガラス４３とを有することを特徴とする。【選択図】図３
2008280822.tif 000002
【特許請求の範囲】
【請求項１】
１階を車庫とし、前記車庫の直上階に当たる２階を居住区とした車庫付建築物であって、
前記車庫の天井面と前記居住区の床面との間を貫通する貫通孔と、
前記車庫の内部が前記居住区から反射像として視認可能とするために前記貫通孔の側方に沿って設けたミラーと、
前記貫通孔を視認可能に封鎖する耐火性部材を有することを特徴とする車庫付建築物。
【請求項２】
前記ミラーは、垂直方向において傾斜していることを特徴とする請求項１記載の車庫付建築物。
【請求項３】
前記ミラーは、可動部によって支持されており、垂直方向における傾斜角度を変更できるようなっている請求項２記載の車庫付建築物。
【請求項４】
前記車庫付建築物は耐火壁によって包囲されている内階段と、前記車庫付建築物の外部に設けられている外階段とを有しており、
前記内階段は、前記車庫における車両の一部が前記内階段の下方に位置できるように前記車庫の床面から離間した最下段を有し、
前記最下段において前記外階段に連絡する外部扉と、前記車庫に連絡する内部扉を有していることを特徴とする請求項１記載の車庫付建築物。
【請求項５】
前記内部扉は、前記車庫内に設けられている小型梯子又は小型階段に連絡していることを特徴とする請求項４記載の車庫付建築物。
【請求項６】
前記内階段の側部に位置する前記耐火壁の一部には、耐火ガラスによって構成されている覗き窓が設けられていることを特徴とする請求項４記載の車庫付建築物。
【発明の詳細な説明】
【技術分野】
【０００１】  本発明は、車庫付建築物に関する。
【背景技術】
【０００２】  従来、１階を車庫とし、その上階に当たる２階を居住区とした車庫付建築物が知られている。このような建築物は、自動車や自動二輪車等の車両の愛好家である居住者によって利用されている。これら居住者は、２階の居住区に居住することにより、すぐに階下である１階の車庫内の車両のメンテナンス等を行うことができる。【０００３】  このような建築物においては、居住者は、１階の車庫へ、車庫のシャッターを開閉し建築物の外部から出入するか、２階から１階の車庫内へ通じる内階段を設け、当該内階段を使用して出入していた。
【発明の開示】
【発明が解決しようとする課題】
【０００４】  上記のような車庫付建築物においては、２階の居住区から１階の車庫内を視認することができず、車両の愛好家の趣味性を満足させることができない問題点がある。【０００５】  また、１階の車庫内において車両から排気された排気ガスが２階の居住区へ侵入してしまうという問題点がある。特に、１階と２階との間に内階段を設けた場合には、この内階段を通じて２階の居住区へ排気ガスが侵入しやすくなる。【０００６】  また、１階と２階との間に内階段を設けた場合、１階の車庫内の駐車スペースが内階段の設置スペースにより減少してしまうという問題点もある。【０００７】  一方、１階と２階との間に内階段を設けず、車庫と居住区を完全に分離した場合、１階の車庫内へすぐに出入りすることができず、車庫の上階に居住区を設けている利便性が損なわれるという問題点がある。【０００８】  本発明は、車両の愛好家の趣味性を満足させつつ、安全且つスペース効率に優れた車庫付建築物を提供することを目的とする。
【課題を解決するための手段】
【０００９】  本発明に係る車庫付建築物は、１階を車庫とし、前記車庫の直上階に当たる２階を居住区とした車庫付建築物であって、前記車庫の天井面と前記居住区の床面との間を貫通する貫通孔と、前記車庫の内部が前記居住区から反射像として視認可能とするために前記貫通孔の側方に沿って設けたミラーと、前記貫通孔を視認可能に封鎖する耐火性部材とを有することを特徴とする。【００１０】  さらに、本発明に係る車庫付建築物は、前記ミラーが、垂直方向において傾斜していることが好ましい。【００１１】  さらに、本発明に係る車庫付建築物は、前記ミラーが、可動部によって支持されており、垂直方向における傾斜角度を変更できるようなっていることが好ましい。【００１２】  さらに、本発明に係る車庫付建築物は、耐火壁によって包囲されている内階段と、前記車庫付建築物の外部に設けられている外階段とを有しており、前記内階段は、前記車庫における車両の一部が前記内階段の下方に位置できるように前記車庫の床面から離間した最下段を有し、前記最下段において前記外階段に連絡する外部扉と、前記車庫に連絡する内部扉を有していることが好ましい。【００１３】  さらに、本発明に係る車庫付建築物は、前記内部扉が、前記車庫内に設けられている小型梯子又は小型階段に連絡していることが好ましい。【００１４】  さらに、本発明に係る車庫付建築物は、前記内階段の側部に位置する前記耐火壁の一部には、耐火ガラスによって構成されている覗き窓が設けられていることが好ましい。
【発明の効果】
【００１５】  請求項１記載の本発明によれば、車庫の天井面と居住区の床面との間を貫通する貫通孔と、車庫の内部が居住区から反射像として視認可能とするために貫通孔の側方に沿って設けたミラーと、貫通孔を視認可能に封鎖する耐火性部材を有することを特徴とする。従って、車庫の内部を居住区からミラーの反射像として視認することができ、また、耐火性部材により車庫と居住区のそれぞれを耐火区画として分離することができる。故に、車両の愛好家の趣味性を満足させつつ、安全性に優れた車庫付建築物を提供することができる。【００１６】  さらに、請求項２載の本発明によれば、ミラーが垂直方向において傾斜していることを特徴としている。従って、居住区から視認することできる車庫の内部の範囲を車庫の天井高等の様々な条件に応じて適切な範囲に設定することができる。【００１７】  さらに、請求項３記載の本発明によれば、ミラーが可動部によって支持されており、垂直方向における傾斜角度を変更できるようなっている。従って、ミラーの傾斜角度を変更することによって、居住区から視認することができる車庫内部の範囲を自由に変更することができる。【００１８】  さらに、請求項４記載の本発明によれば、耐火壁によって包囲されている内階段と、車庫付建築物の外部に設けられている外階段とを有しており、内階段は、車庫における車両の一部が内階段の下方に位置できるように車庫の床面から離間した最下段を有し、最下段において外階段に連絡する外部扉と、車庫に連絡する内部扉とを有していることを特徴とする。最下段は、車庫の床面から離間されているため、車両の後部を最下段の下方に位置する空間内に進出して駐車することができ、内階段を設けたことによって、車庫内部の駐車スペースが減少することがないという利点がある。また、外階段を設けることにより、車庫内部の駐車スペースの減少を防止することができる。【００１９】  さらに、請求項５記載の本発明によれば、内部扉が、車庫内に設けられている小型梯子又は小型階段に連絡していることを特徴としている。従って、車庫内部の駐車スペースの減少を防止しつつ、内部扉からの出入りを容易にすることができる。【００２０】  さらに、請求項６記載の本発明によれば、内階段の側部に位置する耐火壁の一部には、耐火ガラスによって構成されている覗き窓が設けられていることを特徴とする。従って、この耐火ガラスの覗き窓によって、内階段の内部から車庫の内部を覗くことが可能となる。
【発明を実施するための最良の形態】
【００２１】  以下、図１ないし図６を参照しつつ本発明の実施形態について詳細に説明する。本実施形態の車庫付建築物１は、１階を車庫２とし、前記車庫２の直上階に当たる２階を居住区３とした車庫付建築物であって、前記車庫２の天井面２２と前記居住区３の床面３１との間を貫通する貫通孔４２と、前記車庫２の内部が前記居住区３から反射像として視認可能とするために前記貫通孔４２の側方に沿って設けたミラー４１と、前記貫通孔４２を視認可能に封鎖する耐火性部材である耐火ガラス４３とを有することを特徴とする。【００２２】  図１及び図２は、４つの車庫付建築物１が連設されているアパートの平面図である。各車庫付建築物１は、１階に車庫２が設けられており、また、この車庫２の直上階に当たる２階に居住区３を有している。また、車庫付建築物１は、耐火壁によって包囲されている内階段５と、車庫付建築物１の外部に設けられている外階段６を有している。【００２３】  車庫２は、床面２１、天井２２、開閉可能なシャッター２３、背面壁２４、左側壁２５、及び、右側壁２６とから構成されている略直方体形状の箱体であり、シャッター２３を通じて車両２台を格納することができる。なお、車庫２の床面２１、天井２２、シャッター２３、背面壁２４、左側壁２５、及び、右側壁２６は、耐火性建材や当該建材に設けられている気密性シートから構成されており、車庫２内部における火災による類焼を防止すると共に、車庫２内部に格納した車両から排出された二酸化炭素が居住区３内部へ侵入することを防止している。【００２４】  居住区３は、床面３１、天井３２、正面壁３３、背面壁３４、左側壁３５、及び、右側壁３６とから構成されている略直方体形状の箱体であり、内階段５と外階段６とを通じ出入可能となっている。【００２５】  ミラー部４は、図４に示すように、車庫２の内部を居住区３から反射像として視認可能とする。このミラー部４は、図３に示すように、車庫２の天井面２２と居住区３の床面３１との間を貫通する貫通孔４２と、貫通孔４２の側方の一つであるである正面壁３３に沿って設けたミラー４１と、貫通孔４２を封鎖する耐火性部材である天板４４及び側板４５、４６（図４参照）と、耐火ガラス４３とを有する。天板４４は貫通孔４２の上方に設置され、側板４５、４６はそれぞれ貫通孔４２の側方に立設されている。ミラー部４の全体形状は、天板４４と耐火ガラス４３と側板４５、４６によって包囲されている箱状体となっている。このため、ミラー部４によって車庫２と居住区３の各空間がそれぞれ耐火区画として完全に分離しており、また、ミラー４１の表面に居住区３の室内の塵埃が付着することが防止される。なお、天板４４と側板４５、４６は、耐火ガラスによって構成することも可能であり、この場合、ミラー部４は耐火ガラスによる箱状体に構成される。【００２６】  ミラー４１は、図３に示すように垂直方向において傾斜している。ミラー４１の傾斜によって、居住区３から視認することできる車庫２の内部の範囲を車庫２の天井高等の様々な条件に応じて適切な範囲に設定することができる。このミラー４１の垂直方向における傾斜角度は、ミラー４１の下端に設けられている可動部である支持回動軸４１ａを中心にしてミラー４１を回動させ、当該傾斜角度を変更可能に構成することが好ましい。ミラー４１の傾斜角度の変更は、モーター等を動力源とした動力部（図示せず）や手動等の方法によって行われる。このようにミラー４１の傾斜角度を変更することによって、居住区３から視認することができる車庫２内部の範囲を自由に変更することができる。【００２７】  内階段５は、図３に示すように、耐火壁である側壁５１と下方壁５２によって包囲され、車庫２の右側壁２６に沿って設けられている。このため、車庫２と居住区３の各空間がそれぞれ耐火区画として完全に分離している。内階段５の側壁５１には、内部扉である鉄製の耐火ドア５３と、覗き窓である耐火ガラス５４とが設けられている。耐火ドア５３は、内階段５と車庫２との間の出入を可能としている。また、耐火ガラス５４によって、内階段５の内部から車庫２の内部を覗くことが可能となっている。なお、図５に示すように、耐火ドア５３の下方において、車庫２の背面壁２４には小型梯子５３ａが取り付けられており、耐火ドア５３からの出入りを容易にしている。この小型梯子５３ａは、小型階段（図示せず）に代替することが可能である。【００２８】  内階段５は、車庫２における車両の一部が内階段５の下方に位置できるように車庫２の床面２１から離間した最下段５ａを有している。図３に示すように、内階段５は９段の階段であり、その最下段５ａが玄関を構成している。図５に示すように、この最下段５ａは、車庫２の床面２１から離間されているため、車両の後部を最下段５ａの下方に位置する空間内に進出して駐車することができ、内階段５を設けたことによって、車庫２内部の駐車スペースが減少することがないという利点がある。【００２９】  なお、図５において、符号２１ａによって示されている角材状の車止め部材と、符号２１ｂによって示されている３本の溝は、位置変更可能な車止めを構成している。車止め部材２１ａは３本の各溝２１ｂに沿って挿脱自在であり、一の溝２１ｂに車止め部材２１ａを挿入することにより、車止め部材２１ａの位置を３段階に決定することができる。この位置変更可能な車止めによって、内階段５と接触しないように車両の後輪における後退位置を規制することができる。【００３０】  外階段６は、図６に示すように、車庫付建築物１の外部に設けられており、また、内階段５の最下段５ａにおいて玄関扉である外部扉６１と連絡するように設けられている。【００３１】  なお、本実施形態の車庫付建築物１は、車庫２の背面壁２４に排気パイプ２４ａを有している。この排気パイプ２４ａは、換気装置（図示せず）により車庫２内部の空気を常時排気（いわゆる２４時間換気）しており、車庫２内部において車両から排出される排気ガスが停滞することを防止している。【００３２】  以下、本実施形態の作用効果について説明する。本実施形態の車庫付建築物１は、車庫２の天井面２２と居住区３の床面３１との間を貫通する貫通孔４２と、車庫２の内部が居住区３から反射像として視認可能とするために貫通孔４２の側方に沿って設けたミラー４１と、貫通孔４２を視認可能に封鎖する耐火性部材である耐火ガラス４３とを有することを特徴とする。従って、車庫２の内部を居住区３からミラー４１の反射像として視認することができ、また、耐火ガラス４３により、車庫２と居住区３のそれぞれを耐火区画として分離することができる。故に、車両の愛好家の趣味性を満足させつつ、安全性に優れた車庫付建築物１を提供することができる。【００３３】  さらに、本実施形態の車庫付建築物１は、ミラー４１が垂直方向において傾斜していることを特徴としている。従って、居住区３から視認することできる車庫２の内部の範囲を車庫２の天井高等の様々な条件に応じて適切な範囲に設定することができる。【００３４】  さらに、本実施形態の車庫付建築物１は、ミラー４１が可動部である支持回動軸４１ａによって支持されており、垂直方向における傾斜角度を変更できるようなっている。従って、ミラー４１の傾斜角度を変更することによって、居住区３から視認することができる車庫２内部の範囲を自由に変更することができる。【００３５】  さらに、本実施形態の車庫付建築物１は、耐火壁である側壁５１と下方壁５２によって包囲されている内階段５と、車庫付建築物１の外部に設けられている外階段６とを有しており、内階段５は、車庫２における車両の一部が内階段５の下方に位置できるように車庫２の床面２１から離間した最下段５ａを有し、最下段５ａにおいて外階段６に連絡する外部扉６１と、車庫２に連絡する内部扉である耐火ドア５３とを有していることを特徴とする。最下段５ａは、車庫２の床面２１から離間されているため、車両の後部を最下段５ａの下方に位置する空間内に進出して駐車することができ、内階段５を設けたことによって、車庫２内部の駐車スペースが減少することがないという利点がある。また、外階段６を設けることにより、車庫２内部の駐車スペースの減少を防止することができる。【００３６】  さらに、本実施形態の車庫付建築物１は、内部扉である耐火ドア５３が車庫２内に設けられている小型梯子５３ａ又は小型階段に連絡していることを特徴としている。従って、車庫２内部の駐車スペースの減少を防止しつつ、耐火ドア５３からの出入りを容易にすることができる。【００３７】  さらに、本実施形態の車庫付建築物１は、内階段５の側部に位置する耐火壁である側壁５１の一部には、耐火ガラス５４によって構成されている覗き窓が設けられていることを特徴とする。従って、耐火ガラス５４によって、内階段５の内部から車庫２の内部を覗くことが可能となる。
【図面の簡単な説明】
【００３８】
【図１】本発明の実施形態に係る車庫付建築物１の１階の車庫２を示す平面図である。
【図２】図１に示す車庫付建築物１の２階の居住区３を示す平面図である。
【図３】図１に示す車庫付建築物１の断面図である。
【図４】図１に示す車庫付建築物１のミラー部４を示す斜視図である。
【図５】図１に示す車庫付建築物１の内階段５を示す斜視図である。
【図６】図１に示す車庫付建築物１の外階段６を示す斜視図である。
【符号の説明】
【００３９】１  車庫付建築物
２  車庫
２１、３１  床面
２１ａ  車止め部材
２１ｂ  溝
２２、３２  天井
２３  シャッター
２４、３４  背面壁
２４ａ  排気パイプ
２５、３５  左側壁
２６、３６  右側壁
３  居住区
３３  正面壁
４  ミラー部
４１  ミラー
４１ａ  支持回動軸
４２  貫通孔
４３  耐火ガラス
４４  天板
４５、４６  側板
５  内階段
５ａ  最下段
５１  側壁
５２  下方壁
５３  耐火ドア
５３ａ  小型梯子
５４  耐火ガラス
６  外階段
６１  外部扉
【図１】
2008280822.tif 000003
【図２】
2008280822.tif 000004
【図３】
2008280822.tif 000005
【図４】
2008280822.tif 000006
【図５】
2008280822.tif 000007
【図６】
2008280822.tif 000008